(57)【要約】【課題】建築工事時、特に、足場で作業をする作業者の落下防止安全装備を提供する。【解決手段】足場に連結する掛け具の下端部に、掛け具と一体とになるように収納体を形成し、この収納体に、締め帯を巻き取るリールと、前記リールを回転させて締め帯を巻き取って締める締め帯巻取り装置と、作業者の落下時に衝撃を吸収する衝撃吸収装置とが内蔵されてなる。したがって、作業者の携帯を簡便にして作業能率を向上させ、衝撃吸収装置の構造を改良して、小型にし、携帯および作業を便利にする効果がある。【選択図】図４  
2006037712.tif 000002
【特許請求の範囲】
【請求項１】
掛け具の下端側に収納体を形成し、この収納体に、締め帯を巻き取るリールと、前記リールを回転させて締め帯を巻き取って締める締め帯巻き取り装置と、作業者の落下時に衝撃を吸収する衝撃吸収装置とが内蔵されてなることを特徴とする、作業者の落下防止装置。
【請求項２】
前記収納体は、締め帯巻取り部、締め帯巻取り装置設置部、および衝撃吸収装置設置部を有することを特徴とする、請求項１に記載の作業者の落下防止装置。
【請求項３】
前記衝撃吸収装置は、締め帯に連結された引っ張りワイヤーと、前記引っ張りワイヤーが挟持されたストッパと、前記ストッパの外側で引っ張りワイヤーに外挿された収縮チューブとを備えていることを特徴とする、請求項１または２に記載の作業者の落下防止装置。
【発明の詳細な説明】
【技術分野】
【０００１】
本発明は建築工事などの時に、高い場所、特に足場などで作業をする作業者の落下防止の安全装備に関するものである。
【背景技術】
【０００２】
このような落下防止装置は、締め帯の先端に連結された掛け具を足場にかけ、締め帯の他端を作業者のベルトにかけることにより、作業者が足場から落ちる場合、締め帯によって落下が制限されるようにし、これに衝撃吸収装置を備えて、落下時に衝撃吸収装置によって衝撃を吸収しながら落下を中断するように構成されている。
【特許文献１】特開２００１−７９１０３号公報
【発明の開示】
【発明が解決しようとする課題】
【０００３】
しかしながら、このような従来の落下防止装置は、通常、足場にかける掛け具と、ここに連結される締め帯と、締め帯を縫着して形成させた衝撃吸収装置と、締め帯が垂れれば巻き締めて邪魔になることを防止するようにする締め帯巻取り装置とがそれぞれ別に構成されているため、これらをすべて腰帯にぶら下げて作業するには大きな不便さがあった。よって、足場での作業に熟練した人はこのような保護装備の着用を憚ることになる重大な欠点があった。
【０００４】
また、このような従来の落下防止装置は、衝撃吸収装置を構成することにおいて、通常、締め帯を２箇所またはそれ以上の箇所で多段に折り畳み、この折り畳まれた締め帯の隣接折り畳み部を縫接またはベルクロ織物で接合させることで、落下による衝撃発生時に接合部が分離されながら衝撃を吸収することになる。
【０００５】
しかし、このような衝撃防止装置が十分に作動するためには、作業者が自由に作業し得る締め帯の自由移動許容長さに折り畳み部の展開長さを合わせた距離以上の落下を必要とする。これは、例えば、建築物の階間距離を超過することになるため、結局、建築物の２階に相当する高さで作業し、作業者が自由に作業し得る締め帯の自由移動許容長さに折り畳み部の展開長さを合わせた距離が、地面（地上）からこの建築物の２階に相当する高さより長い場合には、安全装備としての効用がなくなる重大な欠点を有する。
【０００６】
そこで、本発明はこのような問題点に鑑みてなされたもので、その目的とするところは、作業者の落下防止装置の着用を簡便にし、衝撃吸収装置を改良して小型にして、小さな収納体にもこれを収納することができるようにし、落下防止装置の大きさを減少させることで、着用の便宜性、および着用状態での作業能率を向上させることができる、作業者の落下防止装置を提供することにある。
【課題を解決するための手段】
【０００７】
上記課題を解決するために、本発明は、掛け具の下端側に収納体を形成し、この収納体に、締め帯を巻き取るリールと、前記リールを回転させて締め帯を巻き取って締める締め帯巻取り装置と、作業者の落下時に衝撃を吸収する衝撃吸収装置とが内蔵されてなることを特徴とする、作業者の落下防止装置を提供する。
【０００８】
前記において、掛け具は、その上端側を、例えば、足場や安全棒に連結するものである。
【０００９】
掛け具の下端側に形成する収納体は、例えば、掛け具の下端部に形成することができ、更に、掛け具の下端部に、掛け具と一体になるように形成することができる。掛け具と一体になるように形成すると、作業者が簡単に携帯することができ、これによって作業能率の向上を可能にすることができる。
【００１０】
前記において、収納体は、締め帯巻取り部、締め帯巻取り装置設置部、および衝撃吸収装置設置部を有することができる。
【００１１】
また、前記衝撃吸収装置は、締め帯に堅固に連結された引っ張りワイヤーと、前記引っ張りワイヤーが挟持されたストッパと、前記ストッパの外側で引っ張りワイヤーに外挿された収縮チューブとを備えている構成にすることができる。
【００１２】
なお、前記の引っ張りワイヤーは、例えば、鉄製引っ張りワイヤーとすることができ、この引っ張りワイヤーは、締め帯に堅固に連結されていることが望ましい。
【００１３】
また、ストッパの外側で引っ張りワイヤーに外挿された収縮チューブは、引っ張りワイヤーに堅固に外挿されていることが望ましい。
【発明の効果】
【００１４】
本発明による作業者の落下防止装置は、締め帯を巻き取るリールと、該リールを回転させて締め帯を巻取りながら締める締め帯巻取り装置と、作業者の落下時に衝撃を吸収する衝撃吸収装置とを収納体に内蔵して構成し、この収納体を、上端側が足場などに連結される掛け具の下端側に、好ましくは、掛け具と一体に形成することにより、作業者が簡単に携帯することができ、これによって作業能率の向上を可能とし、更に、衝撃吸収装置の構造を改良して、小型にして、携帯および作業を便利にする効果がある。
【発明を実施するための最良の形態】
【００１５】
以下に添付図面を参照しながら、本発明の好適な実施の形態について詳細に説明する。
【００１６】
なお、本明細書および添付の各図面において、実質的に同一の機能構成を有する構成要素については、同一の符号を付することにより重複説明を省略する。
【００１７】
本発明の作業者の落下防止装置は、掛け具１の下端側に収納体２を形成し、この収納体２に、締め帯３を巻き取るリール４と、リール４を回転させて締め帯３を巻き取って締める締め帯巻き取り装置５と、作業者の落下時に衝撃を吸収する衝撃吸収装置６とが内蔵されてなるものである。図示の実施形態では、足場に連結する掛け具１の底部に掛け具と一体になるように収納体２を形成し、この収納体２に、締め帯３を巻き取るリール４と、このリール４を回転させて締め帯３を巻取りながら締める締め帯巻取り装置５と、作業者の落下時に衝撃を吸収する衝撃吸収装置６が内蔵されている。
【００１８】
収納体２は、リール４を収納する収納ケース２１、カバー２２、およびリール４の軸４１を支持する軸受け２３を有する。カバー２２にも軸受け２３が設けられている。
【００１９】
リール４は軸４１を有し、軸４１は収納体２とカバー２２の軸受け２３に挿合され、リール４の本体が軸４１を中心に回動するように設置される。リール４は、締め帯巻取り部４２、締め帯巻取り装置設置部４３、および後述する衝撃吸収装置設置部４４を有する。
【００２０】
リール４の締め帯巻取り装置設置部４３には締め帯巻取り装置５が設置され、締め帯巻取り装置５はスプリング５１を備えている。スプリング５１はリール４の軸４１に一端が固定され、他端は収納体２に固定されている。添付図面に示された実施例においては、スプリング５１の他端が、収納体２に固定設置された内板体５２に固定設置されている。スプリング５１が弛緩された状態で締め帯３は締め帯巻取り部４２に充分に巻き取られているようになる。よって、締め帯３を引っ張って解けば、締め帯巻取り装置設置部４３が回転してスプリング５１が緊張され、締め帯３の引っ張りを解除すればスプリング５１によって締め帯巻取り装置設置部４３が逆回転して締め帯３を引き込んで締める。
【００２１】
リール４の衝撃吸収装置設置部４４には衝撃吸収装置６が設置され、この衝撃吸収装置６は次のように構成される。
【００２２】
衝撃吸収装置６は、締め帯３に連結された引っ張りワイヤーと、当該引っ張りワイヤーが挟持されたストッパ６２と、当該ストッパ６２の外側で引っ張りワイヤーに外挿された収縮チューブ６４とを備えている。図示の実施形態では、衝撃吸収装置６は、締め帯３に堅固に連結された鉄製引っ張りワイヤー６１と、引っ張りワイヤー６１が挟持されたストッパ６２と、該ストッパ６２の外側で引っ張りワイヤー６１に堅固に設置された係止具６３と、引っ張りワイヤー６１に外挿された収縮チューブ６４とから構成されている。引っ張りワイヤー６１は多数の鉄線を縒ってなった直径３ｍ／ｍのケーブルで構成することが望ましい。ストッパ６２は、リール４の軸４１に穴４１１を開けて形成することが望ましい。
【００２３】
係止具６３は引っ張りワイヤー６１に対しては移動が自由であるが、収縮チューブ６４は通過できない内径を有する鉄製リングで形成することができるが、添付図面に示されたように、ストッパ６２の外側近くで収縮チューブ６４を圧搾させて、収縮チュ−ブが引っ張りワイヤー６１を圧迫しながら強く接するように形成することが望ましい。
【００２４】
収縮チューブ６４は硬度の低い合成樹脂で形成することにより、引っ張りワイヤー６１が引かれる場合、係止具６３にかかった収縮チューブ６４が破壊されなく潰れながら押され出るように形成しなければならない。収縮チューブ６４が外挿された引っ張りワイヤー６１の外側端から係止具６３までの距離は３０ｃｍ以上であることが望ましい。しかし、４０cm以上を超過することは望ましくない。体重７５Ｋｇの人が１．５ｍ落下する場合、その衝撃は約１２００Ｋｇ程度である。収縮チューブ６４は３００〜４５０Ｋｇの荷重が作用する時から潰れ始めて約３０ｃｍの長さにわたって潰れて衝撃を吸収することができるようにすることが望ましい。このためには、多数の鉄線を縒って形成した直径３ｍ／ｍの引っ張りワイヤー６１にポルリエチレンを１．５〜２ｍｍ程度被覆して収縮チューブ６４を形成させることが望ましい。締め帯３と引っ張りワイヤー６１を連結することにおいては、その堅固性の向上のために、別途の連結具７を装着することができる。
【００２５】
前述したように、収納体２には、締め帯３を巻き取るリール４と、該リール４を回転させて締め帯３を巻き取って締める締め帯巻取り装置５と、作業者の落下時に衝撃を吸収するようにする衝撃吸収装置６とを内蔵しなければならないから、収納体２にはこれらが収容される空間を持たなければならない。また、作業者が落下して衝撃吸収装置６が作動する場合、締め帯３が連結具７を介して引っ張りワイヤー６１を引っ張るにおいて、連結具７がリール４によって作動に差し支えを受けないように、軸４１を除いたリール４の残り部分が容易に破損するように、リール４を破損しやすい合成樹脂で形成することが望ましい。
【００２６】
締め帯３の端には締め帯３を作業者のベルトに連結する連結掛け具８が設けられる。
【００２７】
このように構成された本発明の作業者の落下防止装置は、作業者のベルトに連結掛け具８を連結して、掛け具１を足場またはその他の安全棒にかけてから作業をすることになる。作業者が移動をすると、締め帯３が引かれ、引かれる締め帯３は締め帯巻取り部４２を回動させながら締め帯３を解き、解ける締め帯３はスプリング５１を巻いて緊張させ、作業が終わって足場などから掛け具１を解除すると、緊張したスプリング５１が弛緩しながら締め帯巻取り部４２に締め帯３を巻き取ることになる。
【００２８】
ところが、本発明の落下防止装置を着用した作業者が作業中に墜落すれば、締め帯３が解けながら連結具７を引き、引かれる連結具７はリール４を破損させながら引っ張りワイヤー６１を引っ張るようになる。
【００２９】
引っ張りワイヤー６１は係止具６３をストッパ６２側に引き、これにより、係止具６３の移動は止められ引っ張りワイヤー６１の内部鉄心のみが引かれる。引っ張りワイヤー６１の内部鉄心が続いて引かれながら、これに被覆されている収縮チューブ６４が潰れながら抵抗を提供して、引っ張りワイヤー６１の引っ張りを抑制する。このような抑制は、収縮チューブ６４が外挿された引っ張りワイヤー６１の外側端から係止具６３までの距離（長さ）である約３０ｃｍ以上の長さにわたってなされ、このような抑制は究極に作業者の落下速度を減少させて作業者を負傷から救援することになる。
【００３０】
以上、添付図面を参照しながら本発明の好適な実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００３１】
本発明は、建築工事時に高い場所、特に足場などで作業をする作業者の落下防止の安全装備に適用可能である。
【図面の簡単な説明】
【００３２】
【図１】本発明の一実施例の外部斜視図である。
【図２】本発明の一実施例の断面図（但し、収縮チューブ６４の先端に設けられた係止具６３は斜視図で示した）である。
【図３】締め帯が解けられた状態を示した断面図（但し、収縮チューブ６４の先端に設けられた係止具６３は斜視図で示した）である。
【図４】本発明の要部である衝撃吸収装置を拡大して説明する斜視図である。
【符号の説明】
【００３３】
１    掛け具
２    収納体
２１    収納ケース
２２    カバー
２３    軸受け
３    締め帯
４    リール
４１    軸
４２    締め帯巻取り部
４３    締め帯巻取り装置設置部
４４    衝撃吸収装置設置部
５    締め帯巻取り装置
５１    スプリング
６    衝撃吸収装置
６１    引っ張りワイヤー
６２    ストッパ
６４    収縮チューブ
【図１】
2006037712.tif 000003
【図２】
2006037712.tif 000004
【図３】
2006037712.tif 000005
【図４】
2006037712.tif 000006